(57)【要約】【課題】  腹部に当てて釣竿操作を行い易いと共に、釣竿後部を脇に挟んでもリール操作を伴う釣竿操作のし易い釣竿を提供する。【解決手段】  装着される竿管１０後端部の外径よりも大きな部分を有する尻栓２０と、リール装着部２２と、該リール装着部の前側にフォアグリップ１８を設けた釣竿であって、尻栓を含む釣竿後端から前記フォアグリップの後端位置までの距離Ｌ１が６０ｃｍ以下であり、前記尻栓の最大直径が３０〜４０ｍｍの範囲内であり、該最大径部付近の縦断面における外郭が５ｍｍ以上の曲率半径によりなだらかであると共に、該尻栓の後端部に窪みを形成するよう構成する。【選択図】  図１
2005278521.tif 000002
【特許請求の範囲】
【請求項１】
装着される竿管後端部の外径よりも大きな部分を有する尻栓と、リール装着部と、該リール装着部の前側にフォアグリップを設けた釣竿であって、
尻栓を含む釣竿後端から前記フォアグリップの後端位置までの距離が６０ｃｍ以下であり、
前記尻栓の最大直径が３０〜４０ｍｍの範囲内であり、
該最大径部付近の縦断面における外郭が５ｍｍ以上の曲率半径によりなだらかであると共に、
該尻栓の後端部に窪みを形成している
ことを特徴とする釣竿。
【請求項２】
装着される竿管後端部の外径よりも大きな部分を有する尻栓と、リール装着部と、該リール装着部の前側にフォアグリップを設けた釣竿であって、
尻栓を含む釣竿後端から前記フォアグリップの後端位置までの距離が６０ｃｍ以下であり、
前記尻栓の最大直径が３０〜４０ｍｍの範囲内であり、
該最大径部が尻栓後端付近に位置しており、該最大径部付近の前側領域は、縦断面における外郭が５ｍｍ以上の曲率半径によりなだらかであり、
該尻栓の後端部に窪みを形成しており、
尻栓部を脇に挟んだ際に、前記窪みの存在によって脇が痛くない程度に最大径部が径方向に弾性変形する
ことを特徴とする釣竿。
【請求項３】
前記尻栓の最大直径が３４〜３６ｍｍの範囲内である請求項１又は２記載の釣竿。
【発明の詳細な説明】
【技術分野】
【０００１】
本発明は、所謂、船竿や磯竿等の釣竿に関するものである。
【背景技術】
【０００２】
所謂、ジギングロッド等の船竿や磯竿等では、釣竿操作として、釣竿後端の尻栓を腹部にあてがって操作（ポンピング操作等）したり、釣竿後部を脇に挟んで操作したりすることが多い。腹にあてがってポンピング等の操作をする際には、リール装着部の前側に設けているフォアグリップを把持して行う。このため、フォアグリップと竿尻（尻栓）との距離の設定には、人の腕の長さという制約がある。従って、フォアグリップの後側のリール装着部に装着されるリールと尻栓との間の距離は或る意味では短いと言える。また、脇に挟んで釣竿操作する場合には、一般に尻栓を脇の間ではなく背中側に突出させ、獲物によって釣竿が引かれても、尻栓大径部が脇に引っ掛って釣竿が抜け去らないようにしている。このため、このような形態で竿を脇に挟んで釣竿操作する場合であって、リールを巻取り操作しつつ竿操作を行う場合があるが、前述のようにリールと竿尻との距離が長くは無いため、非常に操作し難い。かといって、従来の尻栓は、それ自体を一般に脇に挟むことを前提に設計されていないため、尻栓の最大径が大きく、これを挟めば違和感を抱いたり、また、下記特許文献１の図３等に示すように、釣竿が引張り力を受けた際に尻栓が背中側に引っ掛って釣竿が抜け去らないように、尻栓の最大径部近くが曲率の大きな（曲率半径の小さな）引っ掛かり易い外郭形状（尖った形状）をしている。従って、この尻栓を脇の間に挟むと痛く、違和感では済まない不快感を覚え、快適な釣り操作が行えない。
【特許文献１】特開平７−２１３２００号
【発明の開示】
【発明が解決しようとする課題】
【０００３】
従って解決しようとする課題は、腹部に当てて釣竿操作を行い易いと共に、釣竿後部を脇に挟んでもリール操作を伴う釣竿操作のし易い釣竿を提供することである。
【課題を解決するための手段】
【０００４】
請求項１に係る発明では、装着される竿管後端部の外径よりも大きな部分を有する尻栓と、リール装着部と、該リール装着部の前側にフォアグリップを設けた釣竿であって、尻栓を含む釣竿後端から前記フォアグリップの後端位置までの距離が６０ｃｍ以下であり、前記尻栓の最大直径が３０〜４０ｍｍの範囲内であり、該最大径部付近の縦断面における外郭が５ｍｍ以上の曲率半径によりなだらかであると共に、該尻栓の後端部に窪みを形成していることを特徴とする釣竿を提供する。
通常、フォアグリップ後端位置は、その竿の標準的な大きさの両軸受型リールを装着した場合に、ハンドルが最も前方に位置した状態のそのハンドル先端の位置と概ね同じである。
【０００５】
請求項２に係る発明では、装着される竿管後端部の外径よりも大きな部分を有する尻栓と、リール装着部と、該リール装着部の前側にフォアグリップを設けた釣竿であって、尻栓を含む釣竿後端から前記フォアグリップの後端位置までの距離が６０ｃｍ以下であり、前記尻栓の最大直径が３０〜４０ｍｍの範囲内であり、該最大径部が尻栓後端付近に位置しており、該最大径部付近の前側領域は、縦断面における外郭が５ｍｍ以上の曲率半径によりなだらかであり、該尻栓の後端部に窪みを形成しており、尻栓部を脇に挟んだ際に、前記窪みの存在によって脇が痛くない程度に最大径部が径方向に弾性変形することを特徴とする釣竿を提供する。
【０００６】
請求項３では、前記尻栓の最大直径が３４〜３６ｍｍの範囲内である請求項１又は２記載の釣竿を提供する。
【発明の効果】
【０００７】
請求項１に係る発明では、釣竿後端からフォアグリップの後端位置までの距離が６０ｃｍ以下であるため、尻栓を腹に当ててフォアグリップを把持した釣竿操作が可能である。この制限の下では、釣竿後端から後側フードの開口縁上端までの距離（リールまでの距離の代表）も長くはなく、尻栓部を背中側に突出させた状態で釣竿を脇に挟んだのでは、リールを手の指で操作し難い。しかし、尻栓の最大径部付近の縦断面における外郭が、５ｍｍ以上の曲率半径によりなだらかであると共に、該最大直径が３０〜４０ｍｍの範囲内であるため、尻栓部位を脇に挟んでも違和感が小さい。従って、尻栓部位も脇に挟むことにより、その分リール位置を前方に位置させることができるため、指によるリールの操作が容易になる。更には、尻栓後端部に窪みを持たせた形状に形成しているため、腹当て状態での釣竿操作において、衣服や腹肉が該窪みに侵入するため、釣竿操作において釣竿を左右上下に振らせたりしても、腹に当てている尻栓が体に対して滑り難く（移動し難く）、安定した竿操作が可能となる。
【０００８】
請求項２に係る発明では、請求項１に係る発明と殆ど同じ作用であるが、異なるのは、最大径部の後側領域が殆ど無く、この後側領域の曲率半径については要件としないが、窪みの存在により最大径部近くが薄く、脇に挟んで最大径部（後端部）が径方向に弾性変形できて余り痛いとは感じないことである。
【０００９】
請求項３に係る発明では、尻栓の最大外径が３４〜３６ｍｍであるが、実験をしたところ、この程度の大きさの場合が脇に挟んだ場合に快適さを保ちつつ最も操作し易い。また、腹部に当てた場合でも、小さ過ぎる訳ではなく、快適に竿操作が可能となる。
【発明を実施するための最良の形態】
【００１０】
以下、本発明を図面を用いて詳細に説明する。
図１は、本発明に係る釣竿の例を示し、図２はその尻栓の部分縦断面図と後ろ側端面図を示す。各竿管がエポキシ樹脂等の合成樹脂をマトリックスとし、炭素繊維等の強化繊維で強化した繊維強化樹脂製船竿であり、元竿１０と中竿１２と穂持竿１４と穂先竿１６とが振出式に継ぎ合わされた中通し釣竿である。この元竿１０には、両軸受型リール等のリール２４を装着するリール装着部２２を設けており、その前側にフォアグリップ１８を設け、竿尻には尻栓２０を装着している。
【００１１】
この例の竿では、尻栓後端からフォアグリップ１８の後端位置までの距離Ｌ１は４９ｃｍであり、リール装着部２２の後側フード２２Ａは固定フードであり、このフードの開口縁上端位置から尻栓後端までの距離Ｌ２は３５ｃｍである。この距離Ｌ２は３３〜３７ｃｍが好ましい。尻栓２０は、硬質といわれるゴム（ＪＩＳ  Ｋ６２５３デュロメータ硬さ試験  タイプＥによる  硬度５０〜９０度、好ましくは６０〜８０度、更に好ましくは７０〜８０度）でできており、図示の如く最大径部が長さ方向中央よりは後端側であるが、後端部ではない。この最大直径Ｄは３４ｍｍであり、元竿外径（約２５ｍｍ）よりも大きい。尻栓前半部内周には雌ねじ２０Ｍが形成されており、元竿１０の後端部に螺合装着させる。硬質とはいえゴム材であるため、螺合部が変形して元竿後端部から外れる虞がある。従って、溝２０Ｂを形成しており、ここに金属製環状バンドを装着する（図示略）。
【００１２】
また、雌ねじ２０Ｍを設けた穴部の底には環状の凸部２０Ｃを設けている。これは、元竿内に中竿等を収納した際に、中竿後端から釣糸が前方に折り返されるが、この釣糸を挟持する部分を少なくするためである。尻栓外周には滑り止め用に溝２０Ｄが複数箇所設けられている。また、後端部には、図示の程度の割合の径と深さの窪み２０Ａが形成されている。
【００１３】
以上のような構成であるため、尻栓部を脇内に位置させて挟めば、手の指でリール２４の操作が容易となり、また、尻栓を腹部に当てて釣竿操作も可能である。尻栓部を脇に挟んだ場合、尻栓最大直径Ｄが３４ｍｍであるため大き過ぎず、違和感が少ない。最大直径Ｄは３０〜４０ｍｍ、好ましくは３２〜３８ｍｍ、更に好ましくは３４〜３６ｍｍに設定する。また、最大径部付近のの曲率半径Ｒが５ｍｍ以上の１１ｍｍであるため、痛さを殆ど感じないで挟める。更には、尻栓後端部に窪み２０Ａが形成されているため、腹部に当てて竿操作する場合に衣服や腹肉が窪みに入り込み、摩擦によって尻栓がずれ難く、釣竿操作が安定する。
【００１４】
図３は図２に示す尻栓の変形例を示しており、異なるのは、窪み２０Ａの周縁部に環状のカバー部２０Ｋがあり、尻栓を腹部に当てた場合に、窪み内に入った衣服部等の引っ掛かりが強くなり、竿操作が安定する。
【００１５】
図４は、請求項２に係る発明の実施形態例であり、最大径部が殆ど後端にある。この最大径部の前側所定領域では、外郭の曲率半径Ｒが５ｍｍよりも充分に大きく滑らかである。最大径部の僅かな後側領域の半径Ｒ’は３ｍｍと小さいが、尻栓後端部の窪み２０Ａが図示の程度に大きくて深い。このため、尻栓部を脇に挟んだ場合に、最大径部付近（尻栓後端部付近）が少しであるが撓む（痛さを和らげる程度に撓む）故、上記の曲率半径Ｒ’が小さいにも拘わらず、痛さを殆ど感じない。
【００１６】
最初の形態例以外の例で特記しない事項は最初の形態例と同様である。
【産業上の利用可能性】
【００１７】
本発明は、船竿や磯竿等に限らないが、釣竿に利用できる。
【図面の簡単な説明】
【００１８】
【図１】図１は本発明に係る釣竿の側面図である。
【図２】図２は図１の尻栓の説明図である。
【図３】図３は他の尻栓の図である。
【図４】図４は他の尻栓の図である。
【符号の説明】
【００１９】
１０                        元竿
１８                        フォアグリップ
２０                        尻栓
２０Ａ                      窪み
２２                        リール装着部
２４                        リール
【図１】
2005278521.tif 000003
【図２】
2005278521.tif 000004
【図３】
2005278521.tif 000005
【図４】
2005278521.tif 000006